【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
増幅器と、
前記増幅器の入力に結合された第１のインダクタと、
前記第１のインダクタに誘導結合されかつ第１の供給ノードに前記増幅器を結合する第２のインダクタと、
前記第１のインダクタと前記第２のインダクタとに誘導結合されかつ第２の供給ノードに前記増幅器を結合する第３のインダクタと、
を備える装置。
【請求項２】
前記第１のインダクタは、前記増幅器の前記入力に接続され、前記第２のインダクタは、前記第１の供給ノードに前記増幅器を接続する第２のデジェネレイティブインダクタであり、前記第３のインダクタは、前記第２の供給ノードに前記増幅器を接続する第３のデジェネレイティブインダクタである、請求項１に記載の装置。
【請求項３】
前記第２のインダクタおよび前記第３のインダクタの両方が、インダクタ係数によって前記第１のインダクタに誘導結合される、請求項１に記載の装置。
【請求項４】
前記インダクタ係数の値は、前記増幅器のインピーダンスをチューニングするように修正される、請求項３に記載の装置。
【請求項５】
前記第１のインダクタは、シャントインダクタである、請求項１に記載の装置。
【請求項６】
前記第１の供給ノードは、電圧供給に対応し、前記第２の供給ノードは、接地に対応し、前記シャントインダクタの第１の端子は、接地に結合され、前記シャントインダクタの第２の端子は、前記増幅器の前記入力に結合される、請求項５に記載の装置。
【請求項７】
前記第１のインダクタは、直列に結合されたインダクタである、請求項１に記載の装置。
【請求項８】
前記直列に結合されたインダクタの負端子は、前記増幅器の前記入力に結合され、前記直列に結合されたインダクタの第１の端子は、入力信号を受信するように結合される、請求項７に記載の装置。
【請求項９】
第２の増幅器をさらに備える、請求項１に記載の装置。
【請求項１０】
前記増幅器は、第１の低雑音増幅器（ＬＮＡ）を備え、前記第２の増幅器は、第２のＬＮＡを備え、前記第１のＬＮＡは、第１の周波数帯域における信号を増幅するように構成され、前記第２のＬＮＡは、第２の周波数帯域における信号を増幅するように構成される、請求項９に記載の装置。
【請求項１１】
前記第１の周波数帯域は、ロングタームエボリューション（ＬＴＥ（登録商標））周波数帯域を備え、前記第２の周波数帯域は、極超短波帯域（ＵＨＢ）を備える、請求項１０に記載の装置。
【請求項１２】
前記第２の増幅器は、第４のインダクタ、第５のインダクタ、および第６のインダクタを備える三重結合インダクタに結合され、
前記第１のＬＮＡは、第１のスイッチを介して入力に結合され、前記第２のＬＮＡは、第２のスイッチを介して前記入力に結合され、
前記第１のＬＮＡは、第１のミキサに第１の変成器を介して結合され、前記第２のＬＮＡは、第２のミキサに第２の変成器を介して結合される、請求項１０に記載の装置。
【請求項１３】
前記第１のインダクタ、前記第２のインダクタ、および前記第３のインダクタは、入れ子ループで配置される、請求項１に記載の装置。
【請求項１４】
信号増幅の方法であって、前記方法は、
増幅器の入力において第１の信号を受信すること、ここで、前記入力は、第１のインダクタに結合される、と、
増幅された出力信号を供給するために、前記増幅器において前記第１の信号を増幅すること、ここで、前記増幅器は、前記第１のインダクタに誘導結合された第２のインダクタによって第１の供給ノードに結合され、前記増幅器は、前記第１のインダクタに誘導結合された第３のインダクタによって第２の供給ノードに結合される、と、
を備える、方法。
【請求項１５】
第２の増幅器において第２の信号を増幅することをさらに備え、ここにおいて、前記第１の信号は、ロングタームエボリューション（ＬＴＥ）周波数帯域信号を備え、前記第２の信号は、極超短波帯域（ＵＨＢ）信号を備える、請求項１４に記載の方法。
【手続補正２】
【補正対象書類名】明細書
【補正対象項目名】００４８
【補正方法】変更
【補正の内容】
【００４８】
[0055]開示された実施形態の以上の説明は、当業者が開示された実施形態を製造または使用することができるように提供されたものである。これらの実施形態へのさまざまな修正は、当業者には容易に明らかとなり、ここで定義した原理は、本開示の範囲から逸脱することなく他の実施形態に適用され得る。したがって、本開示は、ここに示された実施形態に限定されるようには意図されず、以下の特許請求の範囲によって定義される原理および新規な特徴と一致する最も広い範囲を与えられることとなる。
以下に本願の出願当初の特許請求の範囲に記載された発明を付記する。
［Ｃ１］
増幅器と、
前記増幅器の入力に結合された第１のインダクタと、
前記第１のインダクタに誘導結合されかつ第１の供給ノードに前記増幅器を結合する第２のインダクタと、
前記第１のインダクタと前記第２のインダクタとに誘導結合されかつ第２の供給ノードに前記増幅器を結合する第３のインダクタと、
を備える装置。
［Ｃ２］
前記第１のインダクタは、前記増幅器の前記入力に接続され、前記第２のインダクタは、前記第１の供給ノードに前記増幅器を接続する第２のデジェネレイティブインダクタであり、前記第３のインダクタは、前記第２の供給ノードに前記増幅器を接続する第３のデジェネレイティブインダクタである、Ｃ１に記載の装置。
［Ｃ３］
前記第２のインダクタおよび前記第３のインダクタの両方が、インダクタ係数によって前記第１のインダクタに誘導結合される、Ｃ１に記載の装置。
［Ｃ４］
前記インダクタ係数の値は、前記増幅器のインピーダンスをチューニングするように修正される、Ｃ３に記載の装置。
［Ｃ５］
前記第１のインダクタは、シャントインダクタである、Ｃ１に記載の装置。
［Ｃ６］
前記第１の供給ノードは、電圧供給に対応し、前記第２の供給ノードは、接地に対応し、前記シャントインダクタの第１の端子は、接地に結合され、前記シャントインダクタの第２の端子は、前記増幅器の前記入力に結合される、Ｃ５に記載の装置。
［Ｃ７］
前記第１のインダクタは、直列に結合されたインダクタである、Ｃ１に記載の装置。
［Ｃ８］
前記直列に結合されたインダクタの負端子は、前記増幅器の前記入力に結合され、前記直列に結合されたインダクタの第１の端子は、入力信号を受信するように結合される、Ｃ７に記載の装置。
［Ｃ９］
第２の増幅器をさらに備える、Ｃ１に記載の装置。
［Ｃ１０］
前記増幅器は、第１の低雑音増幅器（ＬＮＡ）を備え、前記第２の増幅器は、第２のＬＮＡを備え、前記第１のＬＮＡは、第１の周波数帯域における信号を増幅するように構成され、前記第２のＬＮＡは、第２の周波数帯域における信号を増幅するように構成される、Ｃ９に記載の装置。
［Ｃ１１］
前記第１の周波数帯域は、ロングタームエボリューション（ＬＴＥ）周波数帯域を備え、前記第２の周波数帯域は、極超短波帯域（ＵＨＢ）を備える、Ｃ１０に記載の装置。
［Ｃ１２］
前記第２の増幅器は、第４のインダクタ、第５のインダクタ、および第６のインダクタを備える三重結合インダクタに結合される、Ｃ１０に記載の装置。
［Ｃ１３］
前記第１のＬＮＡは、第１のスイッチを介して入力に結合され、前記第２のＬＮＡは、第２のスイッチを介して前記入力に結合される、Ｃ１２に記載の装置。
［Ｃ１４］
前記第１のＬＮＡは、第１のミキサに第１の変成器を介して結合され、前記第２のＬＮＡは、第２のミキサに第２の変成器を介して結合される、Ｃ１３に記載の装置。
［Ｃ１５］
前記第１のインダクタ、前記第２のインダクタ、および前記第３のインダクタは、入れ子ループで配置される、Ｃ１に記載の装置。
［Ｃ１６］
信号増幅の方法であって、前記方法は、
増幅器の入力において第１の信号を受信すること、ここで、前記入力は、第１のインダクタに結合される、と、
増幅された出力信号を供給するために、前記増幅器において前記第１の信号を増幅すること、ここで、前記増幅器は、前記第１のインダクタに誘導結合された第２のインダクタによって第１の供給ノードに結合され、前記増幅器は、前記第１のインダクタに誘導結合された第３のインダクタによって第２の供給ノードに結合される、と、
を備える、方法。
［Ｃ１７］
第２の増幅器において第２の信号を増幅することをさらに備え、ここにおいて、前記第１の信号は、ロングタームエボリューション（ＬＴＥ）周波数帯域信号を備え、前記第２の信号は、極超短波帯域（ＵＨＢ）信号を備える、Ｃ１６に記載の方法。
［Ｃ１８］
増幅するための手段の入力において信号を増幅するための前記手段と、
第１の供給ノードに前記増幅するための手段を結合するための第１の手段と、
第２の供給ノードに前記増幅するための手段を結合するための第２の手段と、
前記増幅するための手段の前記入力においてインダクタンスを供給するための手段、ここで、前記インダクタンスを供給するための前記手段は、前記結合するための第１の手段と、前記結合するための第２の手段とに誘導結合される、と、
を備える装置。
［Ｃ１９］
前記第１の供給ノードは、電圧供給に対応し、前記第２の供給ノードは、接地に対応する、Ｃ１８に記載の装置。
［Ｃ２０］
第２の増幅するための手段をさらに備え、ここにおいて、前記増幅するための手段は、第１の低雑音増幅器（ＬＮＡ）を含み、前記第２の増幅するための手段は、第２のＬＮＡを含み、ここにおいて、前記第１のＬＮＡは、第１の周波数帯域における信号を増幅し、前記第２のＬＮＡは、第２の周波数帯域における信号を増幅する、Ｃ１８に記載の装置。